(57)【要約】【課題】放熱板と発熱性デバイスの着脱が容易であり、しかも、状況に応じて最適の放熱形態を最小コストで自由に選択できる発熱性デバイスの放熱構造を提供すること。【解決手段】プリント配線板１上に実装された複数の発熱性デバイス２と、プリント配線板上に立設され、発熱性デバイスのハウジング２ａの外側壁に接触させられた金属製の放熱板１０と、発熱性デバイスのハウジングの外壁に自身の弾性を利用して着脱自在に装着されることで、発熱性デバイスと放熱板とを挟持し、それにより、発熱性デバイスのハウジングの外壁と放熱板とを密着させる金属製のバネ部材２０と、を備える。放熱板の足１３が、プリント配線板の導体パターン１ｂに導通接続されることで、放熱板がバスバーとして利用されており、放熱板が導体パターンの熱も逃がす。【選択図】図１
2009021290.tif 000002
【特許請求の範囲】
【請求項１】
プリント配線板上に実装された単数または複数の発熱性デバイスと、
前記プリント配線板上に立設され、前記発熱性デバイスのハウジングの外壁に接触させられた金属製の放熱板と、
前記発熱性デバイスのハウジングの外壁に自身の弾性を利用して着脱自在に装着されることで、前記発熱性デバイスと前記放熱板とを挟持し、それにより、前記発熱性デバイスのハウジングの外壁と前記放熱板とを密着させる金属製のバネ部材と、
を備えることを特徴とするプリント配線板上に実装された発熱性デバイスの放熱構造。
【請求項２】
前記発熱性デバイスが一列に並ぶように前記プリント配線板上に実装され、それら複数の発熱性デバイスの各ハウジングの外壁に、前記放熱板が共通して接触させられており、その状態で、前記複数の発熱性デバイスの少なくとも１つに前記バネ部材が装着されていることを特徴とする請求項１に記載したプリント配線板上に実装された発熱性デバイスの放熱構造。
【請求項３】
前記放熱板に足が設けられており、その足が、前記プリント配線板の導体パターンに導通接続されることで、前記放熱板が前記プリント配線板上に固定されていることを特徴とする請求項１または請求項２に記載したプリント配線板上に実装された発熱性デバイスの放熱構造。
【請求項４】
前記放熱板に複数の足が設けられており、それら複数の足が異なる前記導体パターンにそれぞれ導通接続されることで、前記異なる導体パターンを含む回路間をバスバーとして導通接続していることを特徴とする請求項３に記載したプリント配線板上に実装された発熱性デバイスの放熱構造。
【請求項５】
前記足が前記放熱板の長手方向の両端に設けられており、前記放熱板の長手方向の中間部が、前記プリント配線板から浮いた状態で前記発熱性デバイスのハウジングの外壁に接触させられていることを特徴とする請求項４に記載したプリント配線板上に実装された発熱性デバイスの放熱構造。
【請求項６】
前記放熱板は、長手方向の中間部に直線状の接触板部を持ち、長手方向の両端部に、前記接触板部に対してＬ字状に折れ曲がった支持板部を持つ、平面視Ｚ字状またはコ字状に形成されており、前記各支持板部の下端縁に前記足が突設され、該各足の近傍に、前記プリント配線板の表面に当接することで、前記接触板部を前記プリント配線板の表面から浮かせる当接縁部が設けられていることを特徴とする請求項５に記載したプリント配線板上に実装された発熱性デバイスの放熱構造。
【請求項７】
前記発熱性デバイスのハウジングが直方体形状をなし、前記バネ部材が、前記発熱性デバイスの直方体形状のハウジングの上面に接触する当接板と、該当接板の両端より同方向に略垂直に延びて前記ハウジングの両側面を弾性的に挟持する一対のバネ片と、を有した略コ字状をなしており、該バネ片により前記放熱板を前記ハウジングとの間に挟持することを特徴とする請求項１〜５いずれか一項に記載したプリント配線板上に実装された発熱性デバイスの放熱構造。
【請求項８】
前記一対のバネ片がくの字状に屈曲しており、各バネ片の先端が外側に開いていることを特徴とする請求項７に記載したプリント配線板上に実装された発熱性デバイスの放熱構造。
【発明の詳細な説明】
【技術分野】
【０００１】
本発明は、例えば、車両に搭載される電気接続箱の中のプリント配線板上に実装された発熱性デバイス（即ち、電気部品）の放熱構造に関するものである。
【背景技術】
【０００２】
図６に示すように、車両に搭載される電気接続箱の中にはプリント配線板１０１が配設されており、そのプリント配線板１０１上には各種のデバイス（電気部品）が実装されている。これらのデバイスの中には、高電流を制御するリレー等の発熱性デバイス１０２が含まれている。これらの発熱性デバイス１０２は作動に応じて高温になるため、熱対策を講じなくてはならず、一般的には放熱板１１０を、発熱性デバイス１０２のハウジングの外壁に接触させるようにして配設している。
【０００３】
このようにプリント配線板上に実装された発熱性デバイスの放熱構造としては、特許文献１や特許文献２に記載されたものが知られている。
【０００４】
図７は特許文献１に記載された放熱構造を示している。プリント配線板２１０には導体パターン２２１、２２２が形成され、裏側の導体パターン２２２の位置にはスルーホール２２０が設けられ、そのスルーホール２２０には、バスバーとして機能する放熱板２１０の足２１３が挿入され、その足２１３が導体パターン２２１にハンダ付け（導通接続）されることで、放熱板２１０がプリント配線板２０１上に立設状態で固定されている。プリント配線板２１０上には発熱性デバイス２０２が実装されるが、この発熱性デバイス２０２のパッケージ（即ち、ハウジング）は、放熱板２１０の平板部２１１に接触状態でネジ止め固定されている。
【０００５】
この放熱構造では、バスバーとして機能する導体パターン２２１に放熱板２１０の足２１３を接続しているので、導体パターン２２１が発熱した場合、その熱を放熱板２１０を介して逃がすことができる。また、この放熱板２１０に発熱性デバイス２０２を接触状態で固定しているので、発熱性デバイス２０２の熱を放熱板２１０を介して逃がすことができる。
【０００６】
図８は特許文献２に記載された放熱構造を示している。この構造では、プリント配線板（図示略）に固定する足３１３を有した放熱板３１０の主板部３１１に、複数のバネ片３１２を連設し、主板部３１１とバネ片３１２との間に発熱性デバイス３０２のパッケージ（即ち、ハウジング）を弾性的に挟持させることにより、発熱性デバイス３０２の熱を放熱板３１０に伝えるようにしている。
【０００７】
【特許文献１】特開２０００−２５２６６４号公報
【特許文献２】特開平１０−３３５８６１号公報
【発明の開示】
【発明が解決しようとする課題】
【０００８】
ところで、図７に示した放熱構造は、導体パターン２２１の熱も発熱性デバイス２０２の熱も、そのときの熱バランスの状態に応じて、放熱板２１０で逃がすことができる。しかし、発熱性デバイス２０２と放熱板２１０をネジで連結しているので、特に多数の発熱性デバイス２０２に対処しようとする場合、ネジによる取り付けや取り外しが面倒であった。また、放熱板２１０で熱を逃がすだけであるから、放熱効果の加減のための種々の変化をつけにくく、状況に応じた柔軟な放熱の形態を選択できず、拡張性がないという問題があった。
【０００９】
また、図８に示した放熱構造は、放熱板３１０に発熱性デバイス３０２を挟持するための複数のバネ片３１２を設けているので、発熱性デバイス３０２に簡単に放熱板３１０を装着できるものの、一旦装着して放熱板３１０をプリント配線板に固定してしまうと、バネ片３１２が放熱板３１０に一体的に設けられているため、バネ片３１２を取り外したりバネ片３１２の数を調整したりすることはできず、従って、過剰設計になりがちでコストアップにつながる上、後からの変更に対応できないため、形態を変える際の柔軟性に欠けるという問題があった。
【００１０】
本発明は、上述した事情に鑑みてなされたものであり、その目的は、放熱板と発熱性デバイスの着脱が容易であり、しかも、状況に応じて最適の放熱形態を最小コストで自由に選択できる、形態変化の柔軟性に富んだ、プリント配線板上に実装された発熱性デバイスの放熱構造を提供することにある。
【課題を解決するための手段】
【００１１】
前述した目的を達成するために、本発明に係るプリント配線板上に実装された発熱性デバイスの放熱構造は、下記（１）〜（８）を特徴としている。
（１）  プリント配線板上に実装された単数または複数の発熱性デバイスと、
前記プリント配線板上に立設され、前記発熱性デバイスのハウジングの外壁に接触させられた金属製の放熱板と、
前記発熱性デバイスのハウジングの外壁に自身の弾性を利用して着脱自在に装着されることで、前記発熱性デバイスと前記放熱板とを挟持し、それにより、前記発熱性デバイスのハウジングの外壁と前記放熱板とを密着させる金属製のバネ部材と、
を備えること。
（２）  上記（１）の構成のプリント配線板上に実装された発熱性デバイスの放熱構造において、
前記発熱性デバイスが一列に並ぶように前記プリント配線板上に実装され、それら複数の発熱性デバイスの各ハウジングの外壁に、前記放熱板が共通して接触させられており、その状態で、前記複数の発熱性デバイスの少なくとも１つに前記バネ部材が装着されていること。
（３）  上記（１）または（２）の構成のプリント配線板上に実装された発熱性デバイスの放熱構造において、
前記放熱板に足が設けられており、その足が、前記プリント配線板の導体パターンに導通接続されることで、前記放熱板が前記プリント配線板上に固定されていること。
（４）  上記（３）の構成のプリント配線板上に実装された発熱性デバイスの放熱構造において、
前記放熱板に複数の足が設けられており、それら複数の足が異なる前記導体パターンにそれぞれ導通接続されることで、前記異なる導体パターンを含む回路間をバスバーとして導通接続していること。
（５）  上記（４）の構成のプリント配線板上に実装された発熱性デバイスの放熱構造において、
前記足が前記放熱板の長手方向の両端に設けられており、前記放熱板の長手方向の中間部が、前記プリント配線板から浮いた状態で前記発熱性デバイスのハウジングの外壁に接触させられていること。
（６）  上記（５）の構成のプリント配線板上に実装された発熱性デバイスの放熱構造において、
前記放熱板は、長手方向の中間部に直線状の接触板部を持ち、長手方向の両端部に、前記接触板部に対してＬ字状に折れ曲がった支持板部を持つ、平面視Ｚ字状またはコ字状に形成されており、前記各支持板部の下端縁に前記足が突設され、該各足の近傍に、前記プリント配線板の表面に当接することで、前記接触板部を前記プリント配線板の表面から浮かせる当接縁部が設けられていること。
（７）  上記（１）〜（５）のいずれかの構成のプリント配線板上に実装された発熱性デバイスの放熱構造において、
前記発熱性デバイスのハウジングが直方体形状をなし、前記バネ部材が、前記発熱性デバイスの直方体形状のハウジングの上面に接触する当接板と、該当接板の両端より同方向に略垂直に延びて前記ハウジングの両側面を弾性的に挟持する一対のバネ片と、を有した略コ字状をなしており、該バネ片により前記放熱板を前記ハウジングとの間に挟持すること。
（８）  上記（７）の構成のプリント配線板上に実装された発熱性デバイスの放熱構造において、
前記一対のバネ片がくの字状に屈曲しており、各バネ片の先端が外側に開いていること。
【００１２】
上記（１）の構成のプリント配線板上に実装された発熱性デバイスの放熱構造によれば、バネ部材を放熱板と別に設けて、発熱性デバイスに対して着脱自在としているので、選択的に任意の数だけのバネ部材を使用することができる。つまり、複数の発熱性デバイスがある場合でも、任意の発熱性デバイスに対してだけ、バネ部材を装着することができ、全部の発熱性デバイスにバネ部材を装着する必要はない。
金属製のバネ部材は、発熱性デバイスの樹脂製ハウジングよりも熱伝導度が高いので、バネ部材を発熱性デバイスのハウジングに装着するだけで、当該デバイスの放熱を促進することができる。また、バネ部材を装着することにより、当該発熱性デバイスと放熱板との密着度を高めることができるので、両方の作用により、バネ部材を装着した発熱性デバイスの放熱効果を促進することができる。従って、適正な個数のバネ部材を使用するだけで、発熱性デバイスの熱管理を低コストで効率良く行なうことができる。
また、バネ部材が放熱板と別部材として構成されているので、個別にバネ部材を発熱性デバイスに後付けすることができる。つまり、実際の使用に応じた発熱の度合を考慮して、どの発熱性デバイスにバネ部材を装着するかを自由に決めることができる。また、個別にバネ部材を後付けすればよいから、装着作業や取り外し作業がやりやすい。
上記（２）の構成のプリント配線板上に実装された発熱性デバイスの放熱構造によれば、放熱板が、複数の発熱性デバイスの各ハウジングの外壁に共通して接触しているので、放熱板を介して、発熱性デバイス相互間での熱の移動を促すことができる。例えば、高温のデバイスと低温のデバイスが存在する場合、高温のデバイス側から低温のデバイス側へ熱を逃がすことができる。従って、放熱板それ自体による放熱作用に加えて、低温のデバイスによる熱吸収作用により、高温のデバイスの放熱性の促進を図ることができる。また、一列に並んだ発熱性デバイスに放熱板を接触させるだけでよいから、デバイスに接触させる部分を直線状に構成することができ、放熱板の形状の単純化が図れる。
上記（３）の構成のプリント配線板上に実装された発熱性デバイスの放熱構造によれば、放熱板と導体パターンを導通接続しているので、放熱板と導体パターンの間での熱の移動を促進することができる。従って、導体パターンが発熱する場合は、導体パターンの熱を放熱板により逃がすことができる。また、放熱板を介して発熱性デバイスと導体パターンが熱的に接続された関係にあるから、発熱性デバイスの温度が導体パターンの温度より高い場合、あるいは、導体パターンの温度が発熱性デバイスの温度より高い場合、温度が高い方から低い方に熱を逃がして、放熱促進を図ることができ、効率のよい発熱管理を行なうことができる。
上記（４）の構成のプリント配線板上に実装された発熱性デバイスの放熱構造によれば、回路への通電によりバスバーとして使用された導体パターンが発熱した場合にも、導体パターンの熱を放熱板や、放熱板を介して低温の発熱性デバイス側に逃がすことができ、導体パターンの発熱を抑制することができる。また、発熱の問題から導体パターンの幅を大きくしたり、プリント配線板の積層数を増やしたりする必要がある場合にも、それを抑制的に行なうことができ、レイアウト面やコスト面での有利をもたらすことができる。
上記（５）の構成のプリント配線板上に実装された発熱性デバイスの放熱構造によれば、放熱板は、両端がプリント配線板に固定されて拘束されるものの、長手方向の中間部が自由な状態になっているので、無理な応力を発生せずに、放熱板の中間部を発熱性デバイスに接触させることができる。従って、発熱性デバイスのハウジング外壁への密着性をよくすることができ、発熱性デバイスと放熱板との間の熱伝達性の向上が図れる。
上記（６）の構成のプリント配線板上に実装された発熱性デバイスの放熱構造によれば、放熱板が平面視Ｚ字状またはコ字状に形成されているので、放熱板の剛性が高まり、プリント配線板上での姿勢が安定する。また、プリント配線板に固定するための足の近傍に、プリント配線板の表面に当接する当接縁部が設けられているので、放熱板の接触板部を、安定した姿勢でプリント配線板の表面から浮かせることができ、放熱板の発熱性デバイスに対する接触性の向上が図れる。
上記（７）の構成のプリント配線板上に実装された発熱性デバイスの放熱構造によれば、バネ部材を略コ字状に形成して、発熱性デバイスのハウジングの両側面を一対のバネ片で挟持するようにしたので、バネ部材の装着が簡単・確実にできる。また、バネ部材の当接板を発熱性デバイスのハウジングの上面に接触させることができるので、発熱性デバイスのハウジングの熱をバネ部材で効率よく吸収することができる。
上記（８）の構成のプリント配線板上に実装された発熱性デバイスの放熱構造によれば、各バネ片がくの字状に屈曲しており、各バネ片の先端が外側に開いているので、上から発熱性デバイスの上に被せるだけで、バネ部材を発熱性デバイスに容易に装着することができる。
【発明の効果】
【００１３】
本発明によれば、放熱板と発熱性デバイスをバネ部材の使用により、容易に密着させることができる。また、バネ部材は発熱性デバイスに対して着脱自在とされているので、状況に応じて最適の放熱形態を最小コストで自由に選ぶことができる。
【００１４】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１５】
以下、本発明に係る好適な実施形態を図面に基づいて詳細に説明する。
【００１６】
図１（ａ）および（ｂ）は実施形態の放熱構造の構成を示す斜視図であって、図１（ａ）は分解斜視図、そして図１（ｂ）は組立状態の斜視図である。図２（ａ）および（ｂ）は図１（ａ）および（ｂ）の放熱構造に使用するバネ部材の構成図であって、図２（ａ）は斜視図、そして図２（ｂ）は正面図である。図３（ａ）および（ｂ）は図１（ａ）および（ｂ）の放熱構造に使用する放熱板の構成図であって、図３（ａ）は斜視図、そして図３（ｂ）は正面図である。また、図４は図１（ｂ）のＩＶ矢視図である。
【００１７】
この実施形態の放熱構造は、図１（ａ）および（ｂ）に示すように、プリント配線板１上に一列に並ぶように実装された複数の発熱性デバイス２と、プリント配線板１上に立設され、発熱性デバイス２の直方体状のハウジング２ａの外側壁に共通して接触させられた金属製の帯板状の放熱板１０と、発熱性デバイス２のハウジング２ａの外壁に自身の弾性を利用して着脱自在に装着されることで、発熱性デバイス２と放熱板１０とを挟持し、それにより、発熱性デバイス２のハウジング２ａの外壁と放熱板１０とを密着させる金属製のバネ部材２０と、を備えている。放熱板１０とバネ部材２０は、銅等の熱伝導率の大きな金属よりなる。
【００１８】
発熱性デバイス２の下端には端子２ｂが突設され、これら端子２ｂがプリント配線板１の回路に接続されることで、発熱性デバイス２がプリント配線板１上に実装されている。尚、発熱性デバイス２は、ここではリレーである。
【００１９】
放熱板１０の下端縁には、図３（ａ）および（ｂ）に示すように、固定用の２本の足１３が設けられており、それらの足１３がスルーホール１ａを通してプリント配線板１の裏面の導体パターン１ｂにハンダ付け（導通接続）されることで、帯板状の放熱板１０がプリント配線板１上に立設状態で固定されている。これら２本の足１３は、異なる導体パターン１ｂにそれぞれハンダ付けされており、異なる導体パターン１ｂを含む回路間をバスバーとして導通接続している。
【００２０】
また、２本の足１３は、放熱板１０の長手方向の両端に設けられており、放熱板１０の長手方向の中間部が、プリント配線板１から浮いた状態で発熱性デバイス２のハウジング２ａの外壁に接触させられている。この放熱板１０は、長手方向の中間部に直線状の接触板部１１を持ち、長手方向の両端部に、接触板部１１に対してＬ字状に折れ曲がった支持板部１２を持っており、平面視形状がＺ字状に形成されている。尚、平面視形状がコ字状に形成されていてもよい。
【００２１】
前記２本の足１３は各支持板部１２の下端縁に突設されており、各足１３の近傍には、プリント配線板１の表面に当接することで、接触板部１１や支持部１２の下縁１１ａ、１２ａをプリント配線板１の表面から浮かせる当接縁部１４が設けられている。
【００２２】
また、バネ部材２０は、発熱性デバイス２のハウジング２ａが直方体形状をなしているのに対応して、発熱性デバイス２のハウジング２ａの上面に接触する当接板２１と、この当接板２１の両端より下方へ略垂直に延びてハウジング２ａの両側面を弾性的に挟持する一対のバネ片２２と、を有した略コ字状をなしている。バネ片２２は、放熱板１０をハウジング２ａとの間に挟持するもので、板厚方向にくの字状に屈曲しており、各バネ片２２の先端が外側に開いている。
【００２３】
この放熱構造を得る場合は、図１（ａ）に示すように、プリント配線板１上に発熱性デバイス２を実装すると共に、各発熱性デバイス２のハウジング２ａの外側壁に接触するように、放熱板１０をプリント配線板１上に実装する。次いで、その状態で、上方からバネ部材２０を各発熱性デバイス２に装着して、両バネ片２２でハウジング２ａと放熱板１０の接触板部１１を挟持する。こうすることにより、各発熱性デバイス２のハウジング２ａに放熱板１０を密着させることができ、実施形態の放熱構造が得られる。
【００２４】
次に作用を述べる。金属製のバネ部材２０は、発熱性デバイス２の樹脂製ハウジング２ａよりも熱伝導度が高いので、バネ部材２０を発熱性デバイス２のハウジング２ａに装着するだけで、当該デバイス２の放熱を促進することができる。即ち、バネ部材２０は略コ字状に形成されており、発熱性デバイス２のハウジング２ａの上面にバネ部材２０の当接板２１が接触している上、バネ片２２の一部も直接あるいは放熱板１０を介してハウジング２ａの外側壁に接触しているので、発熱性デバイス２のハウジング２ａの熱をバネ部材２０で効率よく吸収し放散することができる。
【００２５】
また、放熱板１０は、発熱性デバイス２のハウジング２ａの外側壁に単に接触しているだけではなく、バネ片２２に押されて接触しているので、発熱性デバイス２と放熱板１０との密着度を高めることができ、発熱性デバイス２と放熱板１０の間の熱伝達効率を高めることができる。
【００２６】
このように放熱板１０が、複数の発熱性デバイス２の各ハウジング２ａの外壁に共通して密着している場合、放熱板１０を介して、発熱性デバイス２相互間での熱の移動を促すことができる。例えば、高温のデバイス２と低温のデバイス２が存在する場合、高温のデバイス２側から低温のデバイス２側へ熱を逃がすことができる。従って、放熱板１０それ自による放熱作用に加えて、低温のデバイス２による熱吸収作用により、高温のデバイス２の放熱性の促進を図ることができる。
【００２７】
また、放熱板１０とプリント配線板１の導体パターン１ｂを導通接続しているので、放熱板１０と導体パターン１ｂの間での熱の移動を促進することができる。従って、導体パターン１ｂが発熱する場合は、導体パターン１ｂの熱を放熱板１０により逃がすことができる。また、放熱板１０を介して発熱性デバイス２と導体パターン１ｂが熱的に接続された関係にあるから、発熱性デバイス２の温度が導体パターン１ｂの温度より高い場合、あるいは、導体パターン１ｂの温度が発熱性デバイス２の温度より高い場合、温度が高い方から低い方に熱を逃がして、放熱促進を図ることができ、効率のよい発熱管理を行なうことができる。
【００２８】
特に放熱板１０を電流が流れるバスバーとして使用しているので、回路への通電により、導体パターン１ｂが発熱した場合にも、導体パターン１ｂの熱を放熱板１０や、放熱板１０を介して低温の発熱性デバイス２側に逃がすことができ、導体パターン１ｂの発熱を抑制することができる。また、発熱の問題から導体パターン１ｂの幅を大きくしたり、プリント配線板１の積層数を増やしたりする必要がある場合にも、それを抑制的に行なうことができ、レイアウト面やコスト面での有利をもたらすことができる。
【００２９】
また、本発明の放熱構造では、それ自体が放熱機能を発揮するバネ部材２０の装着と、バネ部材２０の装着による放熱板１０と発熱性デバイス２の密着性の強化により、発熱性デバイス２や導体パターン１ｂの放熱効果を促進することができる。
【００３０】
また、図１（ａ）および（ｂ）に示した実施形態では、全部の発熱性デバイス２にバネ部材２０を装着した場合を示したが、本発明では、バネ部材２０を放熱板１０と別に設けて発熱性デバイス２に対して着脱自在としているので、選択的に任意の数だけのバネ部材２０を使用することができる。
【００３１】
例えば、図５（ａ）の実施形態では、バネ部材２０を１個だけ装着した場合、図５（ｂ）の実施形態では、バネ部材２０を１個おきに装着した場合を示している。このように、数の発熱性デバイス２がある場合でも、任意の発熱性デバイス２に対してだけ、バネ部材２０を装着することができ、全部の発熱性デバイス２に対してバネ部材２０を装着する必要はなく、適正個数のバネ部材２０を使用するだけで、発熱性デバイス２の熱管理を低コストで効率良く行なうことができる。
【００３２】
また、バネ部材２０が放熱板１０と別部材として構成されているので、個別にバネ部材２０を発熱性デバイス２に後付けすることができる。つまり、実際の使用に応じた発熱の度合を考慮して、どの発熱性デバイス２にバネ部材２０を装着するかを自由に決めることができる。また、個別にバネ部材２０を後付けすればよいから、装着作業がやりやすいメリットもある。
【００３３】
また、上記各実施形態によれば、一列に並んだ発熱性デバイス２に放熱板１０を接触させるだけでよいから、デバイス２に接触させる部分を直線状に構成することができ、放熱板１０の形状の単純化が図れる。また、放熱板１０は、両端がプリント配線板１に固定されて拘束されるものの、長手方向の中間部が自由な状態になっているので、無理な応力を発生せずに、放熱板１０の中間部を発熱性デバイス２に接触させることができ、従って発熱性デバイス２のハウジング２ａの外側壁への密着性をよくすることができ、発熱性デバイス２と放熱板１０との間の熱伝達性の向上が図れる。
【００３４】
また、放熱板１０は、平面視Ｚ字状またはコ字状に形成されているので、剛性を高めることができ、プリント配線板１上での姿勢の安定化が図れる。更に、プリント配線板１に固定するための足１３の近傍に、プリント配線板１の表面に当接する当接縁部１４が設けられているので、放熱板１０の接触板部１１を、安定した姿勢でプリント配線板１の表面から浮かせることができ、放熱板１０の発熱性デバイス２に対する接触性の向上を図ることができる。
【００３５】
また、バネ部材２０は、一対のバネ片２２で発熱性デバイス２を挟持するようになっており、各バネ片２２がくの字状に屈曲して、各バネ片２２の先端が外側に開いているので、上から発熱性デバイス２の上に被せるだけで、バネ部材２０を発熱性デバイス２に簡単・確実に装着することができる。
【００３６】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３７】
例えば、上記実施形態では、複数の発熱性デバイス２に対して放熱板１０を接触させているが、１個の発熱性デバイス２に対して放熱板１０を接触させ、バネ部材２０の装着により、発熱性デバイス２と放熱板１０の密着性を強化してもよい。
【図面の簡単な説明】
【００３８】
【図１】本発明の実施形態の放熱構造の構成を示す斜視図であって、（ａ）は分解斜視図、そして（ｂ）は組立状態の斜視図である。
【図２】図１（ａ）および（ｂ）の放熱構造に使用するバネ部材の構成図であって、（ａ）は斜視図、そして（ｂ）は正面図である。
【図３】図１（ａ）および（ｂ）の放熱構造に使用する放熱板の構成図であって、（ａ）は斜視図、そして（ｂ）は正面図である。
【図４】図１（ｂ）のＩＶ矢視図である。
【図５】（ａ）および（ｂ）はそれぞれ本発明の他の実施形態を示す斜視図である。
【図６】電気接続箱の中の構造の例を示す斜視図である。
【図７】従来の発熱性デバイスの放熱構造の一例を示す斜視図である。
【図８】従来の発熱性デバイスの放熱構造の他の例を示す斜視図である。
【符号の説明】
【００３９】
１：プリント配線板
１ｂ：導体パターン
２：発熱性デバイス
２ａ：ハウジング
１０：放熱板
１３：足
１４：当接縁部
２０：バネ部材
２１：当接板
２２：バネ片
【図１】
2009021290.tif 000003
【図２】
2009021290.tif 000004
【図３】
2009021290.tif 000005
【図４】
2009021290.tif 000006
【図５】
2009021290.tif 000007
【図６】
2009021290.tif 000008
【図７】
2009021290.tif 000009
【図８】
2009021290.tif 000010